(57)【要約】  【課題】  電子番組案内表の番組内容を分かり易くすることができる番組情報案内機能を有するテレビ放送受信装置を備えた情報記録再生装置を提供する。  【解決手段】  有効チャンネルのテレビ放送が放送中であることが検出されると、例えば３０分毎に第１の有効チャンネルの番組データの１秒分のデータをメモリに記憶させる。次に、１秒ずらして３０分毎に第２の有効チャンネルの番組データの１秒分のデータをメモリに記憶させる。更に、１秒ずらして３０分毎に第３の有効チャンネルの番組データの１秒分のデータをメモリに記憶させる。記憶した１秒分の番組データに基づいてサムネイル画像を生成し、電子番組案内表とサムネイル画像とを対にしてメモリに記憶させる。そして、電子番組案内表を表示させる指示が有ったときに、番組名に対応するサムネイル画像が有ると判定されたときにはサムネイル画像と番組名をディスプレイ装置に表示させる。【選択図】      図４
2007049398.tif 000002
【特許請求の範囲】
【請求項１】
映像データと音声データと番組情報とが多重化されて送信されてきたテレビ放送信号を
受信して、所望のチャンネルを選択し、そのチャンネルの映像信号および音声信号を出力
すると共に、前記番組情報に基づき電子番組案内表をディスプレイ装置に表示させる番組
情報案内機能を有するテレビ放送受信装置を備えた情報記録再生装置において、所定時間
毎に全有効チャンネルの番組データの所定時間分のデータを記憶手段に記憶させる番組デ
ータ記憶処理手段と、前記所定時間分づつずらして各有効チャンネルの番組データの所定
時間分のデータを前記記憶手段に順次記憶させるように前記番組データ記憶処理手段を制
御する順次記憶制御手段と、前記記憶手段に記憶した所定時間分の番組データに基づいて
サムネイル画像を生成するサムネイル画像生成手段と、前記電子番組案内表による番組名
とサムネイル画像とを対にして前記記憶手段に記憶させる番組サムネイル記憶処理手段と
、前記電子番組案内表を表示させる指示が有ったときに番組名に対応するサムネイル画像
が前記記憶手段に有るか否かを判定するサムネイル有無判定手段と、このサムネイル有無
判定手段により番組名に対応するサムネイル画像が有ると判定されたときにはサムネイル
画像と番組名をディスプレイ装置に表示させると共に番組名に対応するサムネイル画像が
無いと判定されたときには番組名のみをディスプレイ装置に表示させる表示処理手段とを
有するシステム制御部を備えたことを特徴とする情報記録再生装置。
【請求項２】
映像データと音声データと番組情報とが多重化されて送信されてきたテレビ放送信号を
受信して、所望のチャンネルを選択し、そのチャンネルの映像信号および音声信号を出力
すると共に、前記番組情報に基づき電子番組案内表をディスプレイ装置に表示させる番組
情報案内機能を有するテレビ放送受信装置を備えた情報記録再生装置において、所定時間
毎に全有効チャンネルの番組データの所定時間分のデータを記憶手段に記憶させる番組デ
ータ記憶処理手段と、前記所定時間分づつずらして各有効チャンネルの番組データの所定
時間分のデータをプレビュー画像のデータとして前記記憶手段に順次記憶させるように前
記番組データ記憶処理手段を制御する順次記憶制御手段と、前記電子番組案内表による番
組名とプレビュー画像とを対にして前記記憶手段に記憶させる番組プレビュー記憶処理手
段と、前記電子番組案内表を表示させる指示が有ったときに番組名に対応するプレビュー
画像が前記記憶手段に有るか否かを判定するプレビュー有無判定手段と、このプレビュー
有無判定手段により番組名に対応するプレビュー画像が有ると判定されたときにはプレビ
ュー画像と番組名をディスプレイ装置に表示させると共に番組名に対応するプレビューが
無いと判定されたときには番組名のみをディスプレイ装置に表示させる表示処理手段とを
有するシステム制御部を備えたことを特徴とする情報記録再生装置。
【請求項３】
映像データと音声データと番組情報とが多重化されて送信されてきたテレビ放送信号を
受信して、所望のチャンネルを選択し、そのチャンネルの映像信号および音声信号を出力
すると共に、前記番組情報に基づき電子番組案内表をディスプレイ装置に表示させる番組
情報案内機能を有するテレビ放送受信装置を備えた情報記録再生装置において、所定時間
毎に全有効チャンネルの番組データの所定時間分のデータを記憶手段に記憶させる番組デ
ータ記憶処理手段と、前記記憶手段に記憶した所定時間分の番組データに基づいてサムネ
イル画像を生成するサムネイル画像生成手段と、前記電子番組案内表による番組名とサム
ネイル画像とを対にして前記記憶手段に記憶させる番組サムネイル記憶処理手段と、前記
電子番組案内表を表示させる指示が有ったときに番組名に対応するサムネイル画像が前記
記憶手段に有るか否かを判定するサムネイル有無判定手段と、このサムネイル有無判定手
段により番組名に対応するサムネイル画像が有ると判定されたときにはサムネイル画像と
番組名をディスプレイ装置に表示させると共に番組名に対応するサムネイル画像が無いと
判定されたときには番組名のみをディスプレイ装置に表示させる表示処理手段とを有する
システム制御部を備えたことを特徴とする情報記録再生装置。
【請求項４】
映像データと音声データと番組情報とが多重化されて送信されてきたテレビ放送信号を
受信して、所望のチャンネルを選択し、そのチャンネルの映像信号および音声信号を出力
すると共に、前記番組情報に基づき電子番組案内表をディスプレイ装置に表示させる番組
情報案内機能を有するテレビ放送受信装置を備えた情報記録再生装置において、所定時間
毎に全有効チャンネルの番組データの所定時間分のデータを記憶手段に記憶させる番組デ
ータ記憶処理手段と、前記電子番組案内表による番組名とプレビュー画像とを対にして前
記記憶手段に記憶させる番組プレビュー記憶処理手段と、前記電子番組案内表を表示させ
る指示が有ったときに番組名に対応するプレビュー画像が前記記憶手段に有るか否かを判
定するプレビュー有無判定手段と、このプレビュー有無判定手段により番組名に対応する
プレビュー画像が有ると判定されたときにはプレビュー画像と番組名をディスプレイ装置
に表示させると共に番組名に対応するプレビューが無いと判定されたときには番組名のみ
をディスプレイ装置に表示させる表示処理手段とを有するシステム制御部を備えたことを
特徴とする情報記録再生装置。
【請求項５】
前記システム制御部は、前記所定時間分づつずらして各有効チャンネルの番組データの
所定時間分のデータを前記記憶手段に順次記憶させるように前記番組データ記憶処理手段
を制御する順次記憶制御手段を有することを特徴とする請求項３または請求項４に記載の
情報記録再生装置。
【発明の詳細な説明】
【技術分野】
【０００１】
本発明は、アナログテレビ放送、あるいはＢＳ（Broadcasting Satellite）デジタルテ
レビ放送などにおいて、番組選択や録画予約を行うために表示される番組情報案内機能を
有するテレビ放送受信装置を備えたＤＶＤレコーダやハードディスクレコーダなどの情報
記録再生装置に関する。
【背景技術】
【０００２】
近年、デジタル技術の発達により放送の分野でもデジタル信号を用いた放送が可能にな
り、広く実用化されてきている。従来のアナログテレビ放送においては、一つの周波数帯
域に一つのチャンネルしか割り当てることができなかったが、デジタルテレビ放送ではＭ
ＰＥＧ２のデジタル圧縮技術を利用することにより、一つの周波数帯域に複数のチャンネ
ルを割り当てることができるようになった。
【０００３】
そのため、デジタルテレビ放送では、多チャンネル化が進み、新聞や雑誌などの印刷物
に掲載される番組表では充分な情報を得られなくなった。そこで、テレビ放送受信装置に
ＥＰＧ（Electronic Program Guide）と呼ばれる電子番組案内表を表示させる機能を備え
、ユーザがテレビ画面上で番組検索や選択ならびに録画予約などを容易に行うことができ
るようにしている。
【０００４】
このＥＰＧ機能とは、それぞれの放送局から伝送される映像データや音声データに多重
化された番組情報などのデータを受信装置で受信し、この受信データに基づいて番組表を
作成してテレビ画面上に表示させる機能である。アナログテレビ放送では、特定のテレビ
放送局からの番組情報により電子番組案内表が生成されるが、デジタルテレビ放送では、
一般的に、映像データ、音声データ、クロックリファレンス（時刻情報）、番組特定情報
（ＰＳＩ；Program Specific Information）／番組配列情報（ＳＩ；Service Informatio
n）などのデジタル信号が多重化されて伝送されるが、このうちのＰＳＩ／ＳＩ信号に基
づいて電子番組案内表が生成される。
【特許文献１】特開２００３−２７４３６１号公報
【特許文献２】特開２００４−２２２２６８号公報
【特許文献３】特開２００４−３３６４４３号公報
【発明の開示】
【発明が解決しようとする課題】
【０００５】
ところで、番組情報案内機能を有するテレビ放送受信装置を備えたＤＶＤレコーダやハ
ードディスクレコーダなどの従来の情報記録再生装置においては、テレビ受信機のディス
プレイ装置に表示される電子番組案内表は、放送日、放送局名、放送時間、現在時刻、番
組名など、文字情報のみで表示されるようになっている。しかしながら、番組名の文字情
報は、表示領域の制限により番組名の全部が表示されず、一部または多くの部分が省略さ
れて表示されることが多くあるので、ユーザにとっては、実際の番組内容が理解できない
場合があるという課題があった。
【０００６】
なお、特許文献１の従来技術は、利用者によって指定された番組を自動受信して動画映
像を自動記録し、このとき記録した動画映像を記録コンテンツのリスト表示用にサムネイ
ル表示を行っているが、この場合のサムネイル表示は電子番組案内表に用いているもので
はないので、上記のような課題を解決することができない。また、特許文献２の従来技術
は、録画予約された番組の録画に際してインデックス画像用のサムネイルが作成されるが
、この場合のサムネイルも電子番組案内表に用いているものではないので、上記のような
課題を解決することができない。また、特許文献３の従来技術は、ＥＰＧ画面上でユーザ
入力により予約番組が特定された後、録画開始され画像を記録する際にリスト提示用のサ
ムネイルが作成されるが、この場合のサムネイルも電子番組案内表に用いているものでは
ないので、上記のような課題を解決することができない。
【０００７】
本発明は、上記のような課題を解決するためになされたもので、電子番組案内表とサム
ネイル画像あるいはプレビュー画像とを組み合わせることにより、番組内容を分かり易く
することができ、より精度の高い番組選択をできるようにする番組情報案内機能を有する
テレビ放送受信装置を備えたＤＶＤレコーダやハードディスクレコーダなどの情報記録再
生装置を提供することを目的とする。
【課題を解決するための手段】
【０００８】
上記目的を達成するために、請求項１の発明は、映像データと音声データと番組情報と
が多重化されて送信されてきたテレビ放送信号を受信して、所望のチャンネルを選択し、
そのチャンネルの映像信号および音声信号を出力すると共に、前記番組情報に基づき電子
番組案内表をディスプレイ装置に表示させる番組情報案内機能を有するテレビ放送受信装
置を備えた情報記録再生装置において、所定時間毎に全有効チャンネルの番組データの所
定時間分のデータを記憶手段に記憶させる番組データ記憶処理手段と、前記所定時間分づ
つずらして各有効チャンネルの番組データの所定時間分のデータを前記記憶手段に順次記
憶させるように前記番組データ記憶処理手段を制御する順次記憶制御手段と、前記記憶手
段に記憶した所定時間分の番組データに基づいてサムネイル画像を生成するサムネイル画
像生成手段と、前記電子番組案内表による番組名とサムネイル画像とを対にして前記記憶
手段に記憶させる番組サムネイル記憶処理手段と、前記電子番組案内表を表示させる指示
が有ったときに番組名に対応するサムネイル画像が前記記憶手段に有るか否かを判定する
サムネイル有無判定手段と、このサムネイル有無判定手段により番組名に対応するサムネ
イル画像が有ると判定されたときにはサムネイル画像と番組名をディスプレイ装置に表示
させると共に番組名に対応するサムネイル画像が無いと判定されたときには番組名のみを
ディスプレイ装置に表示させる表示処理手段とを有するシステム制御部を備えたことを特
徴とする情報記録再生装置を提供する。
【０００９】
この構成において、有効チャンネルのテレビ放送が放送中であることが検出されると、
システム制御部の番組データ記録処理手段は、例えば３０分毎に第１の有効チャンネルの
番組データの例えば１秒分のデータを記憶手段に記憶させる。次に、順次記憶制御手段に
より制御された番組データ記録処理手段は、１秒ずらして３０分毎に第２の有効チャンネ
ルの番組データの１秒分のデータを記憶手段に記憶させる。更に、１秒ずらして３０分毎
に第３の有効チャンネルの番組データの１秒分のデータを記憶手段に記憶させる。以下、
同様に、１秒づつずらして行き、３０分毎に第ｎの有効チャンネルの番組データの１秒分
のデータを記憶手段に記憶させる。
【００１０】
次に、サムネイル画像生成手段は、記憶手段に記憶した１秒分の番組データに基づいて
サムネイル画像を生成し、番組サムネイル記憶処理手段は、電子番組案内表を取得し、電
子番組案内表とサムネイル画像とを対にして記憶手段に記憶させる。そして、ユーザがリ
モコンなどを操作して電子番組案内表を表示させる指示が有ったときに、サムネイル有無
判定手段は、番組名に対応するサムネイル画像が記憶手段に有るか否かを判定し、表示処
理手段は、番組名に対応するサムネイル画像が有ると判定されたときにはサムネイル画像
と番組名をディスプレイ装置に表示させ、番組名に対応するサムネイル画像が無いと判定
されたときには番組名のみをディスプレイ装置に表示させる。
【００１１】
この構成によれば、電子番組案内表による番組名とサムネイル画像とを対にして表示さ
せることができ、これにより、文字情報だけでは分からない番組の情報を得ることができ
て、番組内容を分かり易くすることができる。したがって、番組名の文字情報が、一部ま
たは多くの部分が省略されて表示されることがあっても、サムネイル画像も表示されるの
で、実際の番組内容を理解できるようになり、この結果、より精度の高い番組選択ができ
るようになって、ユーザにとっては使い勝手が向上する。
【００１２】
請求項２の発明は、映像データと音声データと番組情報とが多重化されて送信されてき
たテレビ放送信号を受信して、所望のチャンネルを選択し、そのチャンネルの映像信号お
よび音声信号を出力すると共に、前記番組情報に基づき電子番組案内表をディスプレイ装
置に表示させる番組情報案内機能を有するテレビ放送受信装置を備えた情報記録再生装置
において、所定時間毎に全有効チャンネルの番組データの所定時間分のデータを記憶手段
に記憶させる番組データ記憶処理手段と、前記所定時間分づつずらして各有効チャンネル
の番組データの所定時間分のデータをプレビュー画像として前記記憶手段に順次記憶させ
るように前記番組データ記憶処理手段を制御する順次記憶制御手段と、前記電子番組案内
表による番組名とプレビュー画像とを対にして前記記憶手段に記憶させる番組プレビュー
記憶処理手段と、前記電子番組案内表を表示させる指示が有ったときに番組名に対応する
プレビュー画像が前記記憶手段に有るか否かを判定するプレビュー有無判定手段と、この
プレビュー有無判定手段により番組名に対応するプレビュー画像が有ると判定されたとき
にはプレビュー画像と番組名をディスプレイ装置に表示させると共に番組名に対応するプ
レビューが無いと判定されたときには番組名のみをディスプレイ装置に表示させる表示処
理手段とを有するシステム制御部を備えたことを特徴とする情報記録再生装置を提供する
。
【００１３】
この構成において、有効チャンネルのテレビ放送が放送中であることが検出されると、
システム制御部の番組データ記録処理手段は、例えば３０分毎に第１の有効チャンネルの
番組データの例えば１０秒分のデータを記憶手段に記憶させる。次に、順次記憶制御手段
により制御された番組データ記録処理手段は、１０秒ずらして３０分毎に第２の有効チャ
ンネルの番組データの１０秒分のデータを記憶手段に記憶させる。更に、１０秒ずらして
３０分毎に第３の有効チャンネルの番組データの１０秒分のデータを記憶手段に記憶させ
る。以下、同様に、１０秒づつずらして行き、３０分毎に第ｎの有効チャンネルの番組デ
ータの１０秒分のデータを記憶手段に記憶させる。
【００１４】
次に、番組プレビュー記憶処理手段は、電子番組案内表を取得し、電子番組案内表とプ
レビュー画像とを対にして記憶手段に記憶させる。そして、ユーザがリモコンなどを操作
して電子番組案内表を表示させる指示が有ったときに、プレビュー有無判定手段は、番組
名に対応するプレビューが記憶手段に有るか否かを判定し、表示処理手段は、番組名に対
応するプレビューが有ると判定されたときにはプレビュー画像と番組名をディスプレイ装
置に表示させ、番組名に対応するプレビューが無いと判定されたときには番組名のみをデ
ィスプレイ装置に表示させる。
【００１５】
この構成によれば、電子番組案内表による番組名とプレビュー画像とを対にして表示さ
せることができ、これにより、文字情報だけでは分からない番組の情報を得ることができ
て、番組内容を分かり易くすることができる。したがって、番組名の文字情報が、一部ま
たは多くの部分が省略されて表示されることがあっても、プレビュー画像も表示されるの
で、実際の番組内容を理解できるようになり、この結果、より精度の高い番組選択ができ
るようになって、ユーザにとっては使い勝手が向上する。
【００１６】
請求項３の発明は、映像データと音声データと番組情報とが多重化されて送信されてき
たテレビ放送信号を受信して、所望のチャンネルを選択し、そのチャンネルの映像信号お
よび音声信号を出力すると共に、前記番組情報に基づき電子番組案内表をディスプレイ装
置に表示させる番組情報案内機能を有するテレビ放送受信装置を備えた情報記録再生装置
において、所定時間毎に全有効チャンネルの番組データの所定時間分のデータを記憶手段
に記憶させる番組データ記憶処理手段と、前記記憶手段に記憶した所定時間分の番組デー
タに基づいてサムネイル画像を生成するサムネイル画像生成手段と、前記電子番組案内表
による番組名とサムネイル画像とを対にして前記記憶手段に記憶させる番組サムネイル記
憶処理手段と、前記電子番組案内表を表示させる指示が有ったときに番組名に対応するサ
ムネイル画像が前記記憶手段に有るか否かを判定するサムネイル有無判定手段と、このサ
ムネイル有無判定手段により番組名に対応するサムネイル画像が有ると判定されたときに
はサムネイル画像と番組名をディスプレイ装置に表示させると共に番組名に対応するサム
ネイル画像が無いと判定されたときには番組名のみをディスプレイ装置に表示させる表示
処理手段とを有するシステム制御部を備えたことを特徴とする情報記録再生装置を提供す
る。
【００１７】
この構成において、有効チャンネルのテレビ放送が放送中であることが検出されると、
システム制御部の番組データ記録処理手段は、例えば３０分毎に第１の有効チャンネルの
番組データの例えば１秒分のデータを記憶手段に記憶させる。次に、番組データ記録処理
手段は、１秒ずらして３０分毎に第２の有効チャンネルの番組データの１秒分のデータを
記憶手段に記憶させる。更に、１秒ずらして３０分毎に第３の有効チャンネルの番組デー
タの１秒分のデータを記憶手段に記憶させる。以下、同様に、１秒づつずらして行き、３
０分毎に第ｎの有効チャンネルの番組データの１秒分のデータを記憶手段に記憶させる。
【００１８】
次に、サムネイル画像生成手段は、記憶手段に記憶した１秒分の番組データに基づいて
サムネイル画像を生成し、番組サムネイル記憶処理手段は、電子番組案内表を取得し、電
子番組案内表とサムネイル画像とを対にして記憶手段に記憶させる。そして、ユーザがリ
モコンなどを操作して電子番組案内表を表示させる指示が有ったときに、サムネイル有無
判定手段は、番組名に対応するサムネイル画像が記憶手段に有るか否かを判定し、表示処
理手段は、番組名に対応するサムネイル画像が有ると判定されたときにはサムネイル画像
と番組名をディスプレイ装置に表示させ、番組名に対応するサムネイル画像が無いと判定
されたときには番組名のみをディスプレイ装置に表示させる。
【００１９】
この構成によれば、電子番組案内表による番組名とサムネイル画像とを対にして表示さ
せることができ、これにより、文字情報だけでは分からない番組の情報を得ることができ
て、番組内容を分かり易くすることができる。したがって、番組名の文字情報が、一部ま
たは多くの部分が省略されて表示されることがあっても、サムネイル画像も表示されるの
で、実際の番組内容を理解できるようになり、この結果、より精度の高い番組選択ができ
るようになって、ユーザにとっては使い勝手が向上する。
【００２０】
請求項４の発明は、映像データと音声データと番組情報とが多重化されて送信されてき
たテレビ放送信号を受信して、所望のチャンネルを選択し、そのチャンネルの映像信号お
よび音声信号を出力すると共に、前記番組情報に基づき電子番組案内表をディスプレイ装
置に表示させる番組情報案内機能を有するテレビ放送受信装置を備えた情報記録再生装置
において、所定時間毎に全有効チャンネルの番組データの所定時間分のデータを記憶手段
に記憶させる番組データ記憶処理手段と、前記電子番組案内表による番組名とプレビュー
画像とを対にして前記記憶手段に記憶させる番組プレビュー記憶処理手段と、前記電子番
組案内表を表示させる指示が有ったときに番組名に対応するプレビュー画像が前記記憶手
段に有るか否かを判定するプレビュー有無判定手段と、このプレビュー有無判定手段によ
り番組名に対応するプレビュー画像が有ると判定されたときにはプレビュー画像と番組名
をディスプレイ装置に表示させると共に番組名に対応するプレビューが無いと判定された
ときには番組名のみをディスプレイ装置に表示させる表示処理手段とを有するシステム制
御部を備えたことを特徴とする情報記録再生装置を提供する。
【００２１】
この構成において、有効チャンネルのテレビ放送が放送中であることが検出されると、
システム制御部の番組データ記録処理手段は、例えば３０分毎に第１の有効チャンネルの
番組データの例えば１０秒分のデータを記憶手段に記憶させる。次に、番組データ記録処
理手段は、１０秒ずらして３０分毎に第２の有効チャンネルの番組データの１０秒分のデ
ータを記憶手段に記憶させる。更に、１０秒ずらして３０分毎に第３の有効チャンネルの
番組データの１０秒分のデータを記憶手段に記憶させる。以下、同様に、１０秒づつずら
して行き、３０分毎に第ｎの有効チャンネルの番組データの１０秒分のデータを記憶手段
に記憶させる。
【００２２】
次に、番組プレビュー記憶処理手段は、電子番組案内表を取得し、電子番組案内表とプ
レビュー画像とを対にして記憶手段に記憶させる。そして、ユーザがリモコンなどを操作
して電子番組案内表を表示させる指示が有ったときに、プレビュー有無判定手段は、番組
名に対応するプレビューが記憶手段に有るか否かを判定し、表示処理手段は、番組名に対
応するプレビューが有ると判定されたときにはプレビュー画像と番組名をディスプレイ装
置に表示させ、番組名に対応するプレビューが無いと判定されたときには番組名のみをデ
ィスプレイ装置に表示させる。
【００２３】
この構成によれば、電子番組案内表による番組名とプレビュー画像とを対にして表示さ
せることができ、これにより、文字情報だけでは分からない番組の情報を得ることができ
て、番組内容を分かり易くすることができる。したがって、番組名の文字情報が、一部ま
たは多くの部分が省略されて表示されることがあっても、プレビュー画像も表示されるの
で、実際の番組内容を理解できるようになり、この結果、より精度の高い番組選択ができ
るようになって、ユーザにとっては使い勝手が向上する。
【００２４】
請求項５の発明では、請求項３または請求項４の発明において、前記システム制御部は
、前記所定時間分づつずらして各有効チャンネルの番組データの所定時間分のデータを前
記記憶手段に順次記憶させるように前記番組データ記憶処理手段を制御する順次記憶制御
手段を有するので、例えば、１秒分づつまたは１０秒分づつずらして各有効チャンネルの
番組データの１秒分または１０秒分のデータを前記記憶手段に順次記憶させることが可能
になって、有効チャンネルが複数個有っても、各チャンネルの番組毎にサムネイル画像ま
たはプレビュー画像を生成させるのに貢献できる。
【発明の効果】
【００２５】
以上のように本発明によれば、映像データと音声データと番組情報とが多重化されて送
信されてきたテレビ放送信号を受信して、所望のチャンネルを選択し、そのチャンネルの
映像信号および音声信号を出力すると共に、前記番組情報に基づき電子番組案内表をディ
スプレイ装置に表示させる番組情報案内機能を有するテレビ放送受信装置を備えた情報記
録再生装置において、所定時間毎に全有効チャンネルの番組データの所定時間分のデータ
を記憶手段に記憶させ、前記記憶手段に記憶した所定時間分の番組データに基づいてサム
ネイル画像を生成し、前記電子番組案内表による番組名とサムネイル画像とを対にして前
記記憶手段に記憶させ、前記電子番組案内表を表示させる指示が有ったときに、番組名に
対応するサムネイル画像が前記記憶手段に有れば、サムネイル画像と番組名をディスプレ
イ装置に表示させるようにしたので、電子番組案内表による番組名とサムネイル画像とを
対にして表示させることができ、これにより、文字情報だけでは分からない番組の情報を
得ることができて、番組内容を分かり易くすることができる。したがって、番組名の文字
情報が、一部または多くの部分が省略されて表示されることがあっても、サムネイル画像
も表示されるので、実際の番組内容を理解できるようになり、この結果、より精度の高い
番組選択ができるようになって、ユーザにとっては使い勝手が向上する。
【００２６】
また、本発明によれば、映像データと音声データと番組情報とが多重化されて送信され
てきたテレビ放送信号を受信して、所望のチャンネルを選択し、そのチャンネルの映像信
号および音声信号を出力すると共に、前記番組情報に基づき電子番組案内表をディスプレ
イ装置に表示させる番組情報案内機能を有するテレビ放送受信装置を備えた情報記録再生
装置において、所定時間毎に全有効チャンネルの番組データの所定時間分のデータを記憶
手段に記憶させ、前記記憶手段に記憶した所定時間分の番組データに基づいてプレビュー
画像を生成し、前記電子番組案内表による番組名とプレビュー画像とを対にして前記記憶
手段に記憶させ、前記電子番組案内表を表示させる指示が有ったときに、番組名に対応す
るプレビュー画像が前記記憶手段に有れば、プレビュー画像と番組名をディスプレイ装置
に表示させるようにしたので、電子番組案内表による番組名とプレビュー画像とを対にし
て表示させることができ、これにより、文字情報だけでは分からない番組の情報を得るこ
とができて、番組内容を分かり易くすることができる。したがって、番組名の文字情報が
、一部または多くの部分が省略されて表示されることがあっても、プレビュー画像も表示
されるので、実際の番組内容を理解できるようになり、この結果、より精度の高い番組選
択ができるようになって、ユーザにとっては使い勝手が向上する。
【発明を実施するための最良の形態】
【００２７】
以下、添付図面を参照しつつ、本発明の実施の形態について説明する。図１は本発明の
第１の実施形態に係る情報記録再生装置としてのＤＶＤレコーダに備えられたテレビ放送
受信装置の構成を示すブロック図である。
【００２８】
このテレビ放送受信装置１００は、テレビ放送電波を受信するアンテナ１１１、受信し
た放送電波の中から所望のチャンネルの放送電波を選局するチューナ部１１２、このチュ
ーナ部１１２から出力された映像音声データの復調および誤りの訂正処理を行う復調・誤
り訂正部１１３、映像データと音声データと番組情報のデータとが多重化されているデジ
タル放送信号から各データを分離抽出するデマルチプレクサ１１５、復調されたデジタル
放送信号に付加されている不正視聴防止用のスクランブル信号を解除するデスクランブラ
１１４、およびデジタル圧縮された音声データをアナログ音声信号にデコードする音声デ
コーダ１１９を備えている。なお、チューナ部１１２は、アナログテレビ放送も受信する
回路も有する場合には、チューナ部１１２からの映像音声信号を図示しない映像音声処理
回路を通すことによって映像信号および音声信号をテレビ放送受信装置１００から出力さ
せることができる。
【００２９】
また、このテレビ放送受信装置１００は、デジタル圧縮された映像データを展開してＲ
ＧＢ信号にデコードする映像デコーダ１２０、この映像デコーダ１２０から出力されるＲ
ＧＢ信号を１フレーム分格納するフレームメモリ１２１、ＲＧＢ信号を例えばコンポジッ
ト映像信号にダウンコンバートする信号変換回路１２２、デマルチプレクサ１１５により
分離された番組情報を復調する番組情報復調部１１７、番組情報などが記録されるメモリ
（ＩＣカードでも良い）１１６、前記番組情報に基づいてテレビ受信機のディスプレイ装
置に表示する電子番組案内表データを作成するＯＳＤ（オン・スクリーン・ディスプレイ
）処理部１１８、上記の各ブロック（各構成要素）の制御を行うシステム制御部１２３と
、およびシステム制御部１２３に操作信号を入力する本体前面に設けたれた操作パネルや
リモコンなどの操作部１２４とを備えている。
【００３０】
システム制御部１２３は、所定時間（例えば３０分）毎に全有効チャンネルの番組デー
タの所定時間（例えば１秒）分のデータをメモリ１１６に記憶させる番組データ記憶処理
手段と、前記所定時間（例えば１秒）分づつずらして各有効チャンネルの番組データの所
定時間（例えば１秒）分のデータをメモリ１１６に順次記憶させるように前記番組データ
記憶処理手段を制御する順次記憶制御手段と、メモリ１１６に記憶した所定時間（例えば
１秒）分の番組データに基づいてサムネイル画像を生成するサムネイル画像生成手段と、
前記電子番組案内表による番組名とサムネイル画像とを対にしてメモリ１１６に記憶させ
る番組サムネイル記憶処理手段と、電子番組案内表を表示させる指示が有ったときに番組
名に対応するサムネイル画像がメモリ１１６に有るか否かを判定するサムネイル有無判定
手段と、このサムネイル有無判定手段により番組名に対応するサムネイル画像が有ると判
定されたときにはサムネイル画像と番組名をディスプレイ装置に表示させると共に番組名
に対応するサムネイル画像が無いと判定されたときには番組名のみをディスプレイ装置に
表示させる表示処理手段とを有する。
【００３１】
このように構成されたテレビ放送受信装置１００において、操作部１２４からのチャン
ネル選択の入力操作に従って、システム制御部１２３がデスクランブラ１１４やデマルチ
プレクサ１１５に制御信号を出力し、その制御信号に基づきデスクランブラ１１４やデマ
ルチプレクサ１１５で選択チャンネルの信号が抽出され、選択チャンネルのデジタル圧縮
信号が音声デコーダ１１９および映像デコーダ１２０でデコードされて、その選択チャン
ネルの音声信号および映像信号がテレビ受信機などに出力される。
【００３２】
なお、視聴契約が必要な有料チャンネルに関しては、デスクランブラ１１４にて選択チ
ャンネルの信号をデスクランブルする際にメモリ１１６から視聴契約情報が読み出され、
視聴契約が結ばれている場合だけ正常にデスクランブルが実行され、視聴が可能となる。
【００３３】
図２は図１で示したテレビ放送受信装置１００を備えたＤＶＤレコーダの構成を示すブ
ロック図である。
【００３４】
このＤＶＤレコーダは、装置全体を制御するシステムコントローラ２２と、光ディスク
（ＤＶＤ等）１を回転させるスピンドルモータ５と、光ディスク１に対して情報の書き込
み／読み出しを光学的に行う光ピックアップ２と、この光ピックアップ２を光ディスク１
の半径方向に移動させるためのスレッド３と、システムコントローラ２２の指示に応じて
スピンドルモータ５およびスレッド３を駆動すると共に光ピックアップ２に内蔵された対
物レンズ（図示せず）を動かすことによりレーザ光の焦点位置を光ディスク１の記録面に
対して垂直方向および水平方向に移動させる制御を行うサーボ制御部４とを備えている。
【００３５】
また、このＤＶＤレコーダは、光ディスク１の再生時に光ピックアップ２からの読取信
号であるＲＦ信号を増幅するＲＦアンプ６と、このＲＦアンプ６から出力されたＲＦ信号
をデジタルデータに変換した後に光ディスク１のデータフォーマットに応じた信号復調処
理と誤り訂正処理を行って生成したデータをバッファメモリとしてのＲＡＭ７に格納する
デジタル信号処理部８と、システムコントローラ２２の指示に応じてデジタル信号処理部
８から出力されたデータストリームの中からオーディオデータとサブピクチャデータとビ
デオデータとを分離するストリーム分離部９とを備えている。
【００３６】
また、このＤＶＤレコーダは、ストリーム分離部９から出力されたオーディオデータを
入力して所定のデコード処理を行うオーディオデコーダ１１と、このオーディオデコーダ
１１でのデコード処理を行うためにデータを一時的に格納するＲＡＭ１０と、ストリーム
分離部９から出力されたサブピクチャデータを入力して所定のデコード処理を行うサブピ
クチャデコーダ１３と、このサブピクチャデコーダ１３でのデコード処理を行うためにデ
ータを一時的に格納するＲＡＭ１２と、ストリーム分離部９から出力されたビデオデータ
を入力してＭＰＥＧでデコード処理を行うビデオデコーダ１５と、このビデオデコーダ１
５でのデコード処理を行うためにデータを一時的に格納するＲＡＭ１４とを備えている。
【００３７】
また、このＤＶＤレコーダは、システムコントローラ２２の指示に応じてビデオデコー
ダ１５から出力されたデータとサブピクチャデコーダ１３から出力されたデータとを合成
するビデオプロセッサ１７と、このビデオプロセッサ１７から出力された合成データを表
示用の映像信号に変換して、その映像信号を例えばテレビ受信機２０の映像回路に供給す
るビデオエンコーダ１８と、オーディオデコーダ１１から出力されたデータをアナログの
オーディオ信号に変換して、そのオーディオ信号を例えばテレビ受信機２０の音声回路に
供給するＤ／Ａ変換器１６とを備えている。
【００３８】
なお、信号切換回路１９は、ビデオモード時においてテレビ放送受信装置１００からの
映像信号および音声信号を直接テレビ受信機２０に供給したり、ビデオモードに設定した
後、再生モード時に光ディスク１から再生された映像信号および音声信号をテレビ受信機
２０に供給したりするのを切り換える回路であり、操作部２１の操作信号に応答したシス
テムコントローラ２２により制御される。
【００３９】
また、このＤＶＤレコーダは、システムコントローラ２２に対して、記録指示を与える
ための記録キー、再生指示を与えるための再生キー、記録や再生の停止指示を与えるため
の停止キーなど、各種操作キーを有するリモコンなどの操作部２１を備えている。また、
このＤＶＤレコーダは、装置の各構成要素を制御したり、装置全体を制御したりするため
のプログラムやデータが記憶されたフラッシュＲＯＭ２３と、このフラッシュＲＯＭ２３
のプログラムやデータに従って演算処理を行いシステムコントローラ２２を制御するＣＰ
Ｕ２４と、このＣＰＵ２４の演算処理に必要なデータを一時的に格納するＲＡＭ２７とを
備えている。
【００４０】
また、このＤＶＤレコーダは、アンテナ２８に接続されるテレビ放送受信装置１００と
、このテレビ放送受信装置１００で選局されたテレビジョン放送の映像音声信号、あるい
は他の映像音声出力機器からの映像音声信号をデジタルの映像音声データに変換するＡ／
Ｄ変換回路３０と、前記映像音声データをＭＰＥＧでエンコードするエンコーダ３１と、
前記エンコードした映像音声データ（エンコードデータ）を一時的に所定量だけ格納する
バッファメモリとしてのＲＡＭ３２と、記録データ変調回路２５と接続するインターフェ
ースであるＡＴＡＰＩ（AT Attachment Packet Interface）３３と、このＡＴＡＰＩ３３
から送られてきたエンコードデータを光ディスク１に記録するために変調をかける記録デ
ータ変調回路２５と、この記録データ変調回路２５により変調された変調データに基づい
て光ピックアップ２から出射するレーザ光を変調させるためのレーザ変調信号を光ピック
アップ２に出力するレーザ変調回路２６とを備えている。
【００４１】
なお、図２に示すシステムコントローラ２２に、図１に示すシステム制御部１２３の機
能を持たせれば、テレビ放送受信装置１００におけるシステム制御部１２３は不要となる
。また、図１に示す操作部１２４は、図２に示す操作部２１により代用できるので、操作
部１２４は不要となる。
【００４２】
図３は第１の実施形態においてテレビ受信機のディスプレイ装置に表示されるサムネイ
ル画像付きの電子番組案内表が表示された一例を示す図である。図３に示すように、ディ
スプレイ装置２９には、例えば、番組Ａに対応するサムネイル画像ａ、番組Ｂに対応する
サムネイル画像ｂ、番組Ｃに対応するサムネイル画像ｃ、番組Ｄに対応するサムネイル画
像ｄなどが表示されている。番組名Ａ，Ｂ，Ｃ，Ｄの領域には、文字で番組名が表示され
、更に、サムネイル画像ａ，ｂ，ｃ，ｄの領域には、各番組の内容を分かり易くするため
に静止画がそれぞれ表示される。
【００４３】
図４は第１の実施形態においてサムネイル画像を生成してサムネイル画像付きの電子番
組案内表を表示するまでの処理を説明するためのフローチャートである。このフローチャ
ートおよび図１〜図３を参照してサムネイル画像を生成してサムネイル画像付きの電子番
組案内表を表示するまでの処理について説明する。
【００４４】
システム制御部１２３は、有効チャンネルのテレビ放送が放送中であることを検出する
と（ステップＳ１）、システム制御部１２３の番組データ記録処理手段は、例えば３０分
毎に第１の有効チャンネルの番組データの例えば１秒分のデータをメモリ１１６に記憶さ
せる（ステップＳ２）。次に、システム制御部１２３の順次記憶制御手段により制御され
た番組データ記録処理手段は、１秒ずらして３０分毎に第２の有効チャンネルの番組デー
タの１秒分のデータをメモリ１１６に記憶させる（ステップＳ３）。更に、１秒ずらして
３０分毎に第３の有効チャンネルの番組データの１秒分のデータをメモリ１１６に記憶さ
せる（ステップＳ４）。以下、同様に、１秒づつずらして行き、３０分毎に第ｎの有効チ
ャンネルの番組データの１秒分のデータをメモリ１１６に記憶させる。
【００４５】
次に、システム制御部１２３のサムネイル画像生成手段は、メモリ１１６に記憶した１
秒分の番組データに基づいてサムネイル画像を生成し（ステップＳ５）、番組サムネイル
記憶処理手段は、番組情報復調部１１７から電子番組案内表（ＥＰＧ）を取得し（ステッ
プＳ６）、電子番組案内表（ＥＰＧ）とサムネイル画像とを対にしてメモリ１１６に記憶
させる（ステップＳ７）。
【００４６】
そして、ユーザがリモコンなどの操作部２１を操作して電子番組案内表（ＥＰＧ）を表
示させる指示が有ったときに（ステップＳ８）、システム制御部１２３のサムネイル有無
判定手段は、番組名に対応するサムネイル画像がメモリ１１６に有るか否かを判定し（ス
テップＳ９）、表示処理手段は、番組名に対応するサムネイル画像が有ると判定されたと
きにはサムネイル画像と番組名（図３参照）をディスプレイ装置２９に表示させ（ステッ
プＳ１０）、番組名に対応するサムネイル画像が無いと判定されたときには番組名のみを
ディスプレイ装置２０に表示させる（ステップＳ１１）。
【００４７】
なお、このフローチャートに示す処理では、３０分毎に有効チャンネルの番組データの
１秒分をメモリ１１６に記憶しておくようにしているが、番組の最小時間が１５分であれ
ば、１５分毎に有効チャンネルの番組データの１秒分をメモリ１１６に記憶しておくよう
にしても良い。また、有効チャンネルの番組データの１秒分をメモリ１１６に記憶してい
るが、１秒分に限らず、サムネイル画像を生成できる静止画データを取得できる程度の秒
分の番組データをメモリ１１６に記憶させれば良い。
【００４８】
また、例えば連続ドラマＡが１週間に１回放送されている場合、電子番組案内情報とし
て、メモリ１１６から連続ドラマＡ（番組名）とサムネイル画像とが読み出されるものが
、連続ドラマＡの放送開始から例えば６週間目に、電子番組案内表には、連続ドラマＡ（
番組名）が無く、連続ドラマＡ（番組名）とサムネイル画像とがメモリ１１６から読み出
されなかったとすると、その連続ドラマＡは５回で終了したことになるので、連続ドラマ
Ａ（番組名）とサムネイル画像とをメモリ１１６から消去するようにすれば、メモリ１１
６は容量不足になることはない。
【００４９】
以上のように第１の実施形態によれば、電子番組案内表による番組名とサムネイル画像
とを対にして表示させることができ、これにより、文字情報だけでは分からない番組の情
報を得ることができて、番組内容を分かり易くすることができる。したがって、番組名の
文字情報が、一部または多くの部分が省略されて表示されることがあっても、サムネイル
画像も表示されるので、実際の番組内容を理解できるようになり、この結果、より精度の
高い番組選択ができるようになって、ユーザにとっては使い勝手が向上する。
【００５０】
図５は第２の実施形態においてテレビ受信機のディスプレイ装置に表示されるプレビュ
ー画像付きの電子番組案内表が表示された一例を示す図である。図５に示すように、ディ
スプレイ装置２９には、例えば、番組Ａに対応するプレビュー画像ａ１、番組Ｂに対応す
るプレビュー画像ｂ１、番組Ｃに対応するプレビュー画像ｃ１、番組Ｄに対応するプレビ
ュー画像ｄ１などが表示されている。番組名Ａ，Ｂ，Ｃ，Ｄの領域には、文字で番組名が
表示され、更に、プレビュー画像ａ１，ｂ１，ｃ１，ｄ１の領域には、各番組の内容を分
かり易くするために例えば１０秒の動画像がそれぞれ表示される。
【００５１】
この第２の実施形態においてプレビュー画像付きの電子番組案内表を表示させるために
、図１中のシステム制御部１２３は、所定時間（例えば３０分）毎に全有効チャンネルの
番組データの所定時間（例えば１０秒）分のデータをメモリ１１６に記憶させる番組デー
タ記憶処理手段と、前記所定時間（例えば１０秒）分づつずらして各有効チャンネルの番
組データの所定時間（例えば１０秒）分のデータをプレビュー画像のデータとしてメモリ
１１６に順次記憶させるように前記番組データ記憶処理手段を制御する順次記憶制御手段
と、前記電子番組案内表による番組名とプレビュー画像とを対にしてメモリ１１６に記憶
させる番組プレビュー記憶処理手段と、前記電子番組案内表を表示させる指示が有ったと
きに番組名に対応するプレビュー画像がメモリ１１６に有るか否かを判定するプレビュー
有無判定手段と、このプレビュー有無判定手段により番組名に対応するプレビュー画像が
有ると判定されたときにはプレビュー画像と番組名をディスプレイ装置２９に表示させる
と共に番組名に対応するプレビューが無いと判定されたときには番組名のみをディスプレ
イ装置２９に表示させる表示処理手段とを有する。
【００５２】
図６は第２の実施形態においてプレビュー画像を生成してプレビュー画像付きの電子番
組案内表を表示するまでの処理を説明するためのフローチャートである。このフローチャ
ートおよび図１、図２、図５を参照してプレビュー画像を生成してプレビュー画像付きの
電子番組案内表を表示するまでの処理について説明する。
【００５３】
システム制御部１２３は、有効チャンネルのテレビ放送が放送中であることを検出する
と（ステップＮ１）、システム制御部１２３の番組データ記録処理手段は、例えば３０分
毎に第１の有効チャンネルの番組データの例えば１０秒分のデータをメモリ１１６に記憶
させる（ステップＮ２）。次に、システム制御部１２３の順次記憶制御手段により制御さ
れた番組データ記録処理手段は、１０秒ずらして３０分毎に第２の有効チャンネルの番組
データの１０秒分のデータをメモリ１１６に記憶させる（ステップＮ３）。更に、１０秒
ずらして３０分毎に第３の有効チャンネルの番組データの１０秒分のデータをメモリ１１
６に記憶させる（ステップＮ４）。以下、同様に、１０秒づつずらして行き、３０分毎に
第ｎの有効チャンネルの番組データの１０秒分のデータをメモリ１１６に記憶させる。
【００５４】
次に、システム制御部１２３の番組プレビュー記憶処理手段は、番組情報復調部１１７
から電子番組案内表（ＥＰＧ）を取得し（ステップＮ５）、電子番組案内表（ＥＰＧ）と
プレビュー画像とを対にしてメモリ１１６に記憶させる（ステップＮ６）。
【００５５】
そして、ユーザがリモコンなどの操作部２１を操作して電子番組案内表（ＥＰＧ）を表
示させる指示が有ったときに（ステップＮ７）、システム制御部１２３のプレビュー有無
判定手段は、番組名に対応するプレビューがメモリ１１６に有るか否かを判定し（ステッ
プＮ８）、表示処理手段は、番組名に対応するプレビューが有ると判定されたときにはプ
レビュー画像と番組名（図５参照）をディスプレイ装置２９に表示させ（ステップＮ９）
、番組名に対応するプレビューが無いと判定されたときには番組名のみをディスプレイ装
置２０に表示させる（ステップＮ１０）。
【００５６】
なお、このフローチャートに示す処理では、３０分毎に有効チャンネルの番組データの
１０秒分をメモリ１１６に記憶しておくようにしているが、番組の最小時間が１５分であ
れば、１５分毎に有効チャンネルの番組データの１０秒分をメモリ１１６に記憶しておく
ようにしても良い。また、有効チャンネルの番組データの１０秒分をメモリ１１６に記憶
しているが、１０秒分に限らず、プレビュー画像の内容が分かる程度の秒分の番組データ
をメモリ１１６に記憶させれば良い。
【００５７】
以上説明したように第２の実施形態によれば、電子番組案内表による番組名とプレビュ
ー画像とを対にして表示させることができ、これにより、文字情報だけでは分からない番
組の情報を得ることができて、番組内容を分かり易くすることができる。したがって、番
組名の文字情報が、一部または多くの部分が省略されて表示されることがあっても、プレ
ビュー画像も表示されるので、実際の番組内容を理解できるようになり、この結果、より
精度の高い番組選択ができるようになって、ユーザにとっては使い勝手が向上する。
【００５８】
なお、以上説明した実施形態では、情報記録再生装置としてＤＶＤレコーダについて説
明したが、これに限らず、前記テレビ放送受信装置を備えたハードディスクレコーダであ
っても、同様な処理を行って同様な効果を得られることは言うまでもない。
【図面の簡単な説明】
【００５９】
【図１】本発明の第１の実施形態に係る情報記録再生装置としてのＤＶＤレコーダに備えられたテレビ放送受信装置の構成を示すブロック図である。
【図２】図１で示したテレビ放送受信装置を備えたＤＶＤレコーダの構成を示すブロック図である。
【図３】第１の実施形態においてテレビ受信機のディスプレイ装置に表示されるサムネイル画像付きの電子番組案内表が表示された一例を示す図である。
【図４】第１の実施形態においてサムネイル画像を生成してサムネイル画像付きの電子番組案内表を表示するまでの処理を説明するためのフローチャートである。
【図５】第２の実施形態においてテレビ受信機のディスプレイ装置に表示されるプレビュー画像付きの電子番組案内表が表示された一例を示す図である。
【図６】第２の実施形態においてプレビュー画像を生成してプレビュー画像付きの電子番組案内表を表示するまでの処理を説明するためのフローチャートである。
【符号の説明】
【００６０】
２９    ディスプレイ装置
１００    テレビ放送受信装置
１１６    メモリ（記憶手段）
１２３    システム制御部（番組データ記憶処理手段、順次記憶制御手段、サムネイル
画像生成手段、番組サムネイル記憶処理手段、サムネイル有無判定手段、表示処理手段、
番組プレビュー記憶処理手段、プレビュー有無判定手段）
【図１】
2007049398.tif 000003
【図２】
2007049398.tif 000004
【図３】
2007049398.tif 000005
【図４】
2007049398.tif 000006
【図５】
2007049398.tif 000007
【図６】
2007049398.tif 000008